(57)【要約】【課題】装着及び取り外しを簡単かつ迅速に行い得るとともに、外耳道の内壁に対する圧接状態が良好で、材質の経年劣化等によって圧接力が変化することのない遮音用耳栓を提供する。【解決手段】引張保持手段（圧縮バネ１３等）により操作杆８を後方に引張することによって、テーパ状突部９が挿通孔４の前端孔縁に前方から当接され、各弾性可動片部７を拡開させて弾性被覆部材２を外耳道５の内壁に圧接させる遮音状態と、操作杆８の前方への押し込み操作によって、テーパ状突部９が挿通孔４の前端孔縁から離脱して各弾性可動片部７がその弾性を介して縮径し、外耳道５への着脱が可能となる待機状態とが得られるようにした。【選択図】図１
0003145066.tif 000002
【実用新案登録請求の範囲】
【請求項１】
外耳道に挿入して外部の騒音を遮断する遮音用耳栓であって、
略筒状に形成されて、内部に挿通孔が貫設され、外耳道に挿入される前端部に、軸線方向に沿う複数の切込み溝により周方向に分割されて拡開可能に設けられた複数の弾性可動片部を備えた内筒体と、
前記挿通孔に進退可能に嵌挿され、前端に前方に至るに従って拡径し、前記各弾性可動片部により囲繞される挿通孔の前端孔縁に前方から当接可能な截頭円錐形のテーパ状突部を備え、かつ後端が内筒体の後端から後方に突出された操作杆と、
該操作杆を後方に引張してその引張位置を保持する引張保持手段と、
内筒体を被覆する弾性被覆部材と
を備えてなり、
前記引張保持手段により操作杆を後方に引張することによって、テーパ状突部が挿通孔の前端孔縁に前方から当接され、前記各弾性可動片部を拡開させて弾性被覆部材を外耳道の内壁に圧接させる遮音状態と、操作杆の前方への押し込み操作によって、テーパ状突部が挿通孔の前端孔縁から離脱して各弾性可動片部がその弾性を介して縮径し、外耳道への着脱が可能となる待機状態とが得られるようにしたことを特徴とする遮音用耳栓。
【請求項２】
引張保持手段が、内筒体の後端と操作杆の後端間に圧縮状態で介装されて、弾発力により操作杆を後方に引張する圧縮バネであることを特徴とする請求項１記載の遮音用耳栓。
【請求項３】
引張保持手段が、
内筒体の後端に連成された軸受け部に支軸を介して回動可能に軸支され、一端が操作杆の後端に連結されて、その回動により該操作杆を進退させる駆動レバーと、
内筒体の後端から後方に向けて突成され、複数の係合溝が前後方向に沿って形成されて、各係合溝に駆動レバーの他端を選択的に係合可能な係止部材と
からなることを特徴とする請求項１記載の遮音用耳栓。
【請求項４】
挿通孔の前端孔縁に、各弾性可動片部の拡開状態で、テーパ状突部のテーパ面と同方向に傾斜する傾斜内面を備えたテーパ状孔部が形成されていることを特徴とする請求項１乃至請求項３の何れか１項に記載の遮音用耳栓。
【請求項５】
各弾性可動片部に、外周方向に膨出して、外耳道の内壁に対する弾性被覆部材の圧接面積を拡大する膨出部が形成されていることを特徴とする請求項１乃至請求項４の何れか１項に記載の遮音用耳栓。
【考案の詳細な説明】
【技術分野】
【０００１】
本考案は、外耳道に挿入して外部の騒音を遮断するために用いる遮音用耳栓に関する。
【背景技術】
【０００２】
この種の遮音用耳栓にあって、全体をゴムや低反発ウレタンフォームで一体形成したもは、外耳道の内壁に対する圧接力が弱いため、外部の騒音が透過し易く、その遮音作用が低いという問題点がある。そこで、外耳道の内壁に対する圧接力を高め得る構成を備えた遮音用耳栓が提案されている（特許文献１参照）。これは、外耳道の開口端を閉塞するフランジ部と、外耳道に挿入可能な導入筒部とが可撓性合成樹脂により一体形成され、さらに前記フランジ部に固着したナット部材に螺合されて導入筒部内を螺進可能な遊動ボルトの先端に、碗形等を呈する押圧部材が回動可能に枢着されている。そして、導入筒部を外耳道に挿入した状態で、遊動ボルトを回転させて螺進させることによって先端の押圧部材を導入筒部の奥方に移動させ、その移動に伴って外径方向に押圧される導入筒部を外耳道の内壁に圧接させ得るようになっている。
【０００３】
また、航空機の降下時に生じる鼓膜内外の気圧差に起因する鼓膜への悪影響を防止することを目的として、外耳道に挿入されるゴム材を外耳道の内壁に圧接させ得るようにした航空機用耳栓も提案されている（特許文献２参照）。これは、袋状をなすゴム材の開口部を断面略Ｔ字状のブロックの端部に固定し、該ブロックに貫設した透孔に押し棒を進退可能に嵌挿したものであり、該押し棒により袋状のゴム材を内側から押すことにより、ゴム材を筒状に伸ばして外耳道に挿入可能な小径とし、この状態で外耳道に挿入した後、押し棒を離すことにより、ゴム材がその弾性により袋状に復元して外耳道の内壁に圧接するようになっている。
【特許文献１】実用新案登録第３０８５００９号公報
【特許文献２】実開昭６３−４０９１９号公報
【考案の開示】
【考案が解決しようとする課題】
【０００４】
ところで、上述した先行技術にあって、遊動ボルトを回転させて螺進させることにより先端の押圧部材を導入筒部内で移動させるものにあっては、遊動ボルトの回転操作に時間が掛かり、螺進速度が緩慢で、押圧部材の移動を迅速に行うことができないという問題点があり、また、ゴム材をその弾性により袋状に復元させるものにあっては、ゴム材の弾性による復元力のみでゴム材を外耳道の内壁に圧接させているため、外耳道の内壁に対するゴム材の圧接力が弱く、仮にこの圧接力を高めるべく復元力が強いゴム材を選定すると、外耳道への挿入時におけるゴム材の筒状への変形が困難となるという問題点があり、さらにゴム材の経年劣化により復元力が減衰し易いという問題点があった。
【０００５】
本考案は、かかる従来の実状に鑑みてなされたものであって、外耳道への装着及び取り外しを簡単かつ迅速に行い得るとともに、外耳道の内壁に対する圧接状態が良好で、その圧接力も材質の経年劣化等によって変化することがない遮音用耳栓を提供することを目的とするものである。
【課題を解決するための手段】
【０００６】
本考案は、外耳道に挿入して外部の騒音を遮断する遮音用耳栓であって、略筒状に形成されて、内部に挿通孔が貫設され、外耳道に挿入される前端部に、軸線方向に沿う複数の切込み溝により周方向に分割されて拡開可能に設けられた複数の弾性可動片部を備えた内筒体と、前記挿通孔に進退可能に嵌挿され、前端に前方に至るに従って拡径し、前記各弾性可動片部により囲繞される挿通孔の前端孔縁に前方から当接可能な截頭円錐形のテーパ状突部を備え、かつ後端が内筒体の後端から後方に突出された操作杆と、該操作杆を後方に引張してその引張位置を保持する引張保持手段と、内筒体を被覆する弾性被覆部材とを備えてなり、前記引張保持手段により操作杆を後方に引張することによって、テーパ状突部が挿通孔の前端孔縁に前方から当接され、前記各弾性可動片部を拡開させて弾性被覆部材を外耳道の内壁に圧接させる遮音状態と、操作杆の前方への押し込み操作によって、テーパ状突部が挿通孔の前端孔縁から離脱して各弾性可動片部がその弾性を介して縮径し、外耳道への着脱が可能となる待機状態とが得られるようにしたことを特徴とする遮音用耳栓である。
【０００７】
かかる遮音用耳栓にあって、引張保持手段としては、内筒体の後端と操作杆の後端間に圧縮状態で介装されて、弾発力により操作杆を後方に引張する圧縮バネである構成が提案される。この圧縮バネには、コイル状のつる巻きバネが好適に用いられ得る。
【０００８】
また、他の引張保持手段としては、内筒体の後端に連成された軸受け部に支軸を介して回動可能に軸支され、一端が操作杆の後端に連結されて、その回動により該操作杆を進退させる駆動レバーと、内筒体の後端から後方に向けて突成され、複数の係合溝が前後方向に沿って形成されて、各係合溝に駆動レバーの他端を選択的に係合可能な係止部材とからなる構成が提案される。
【０００９】
さらに、内筒体に貫設された挿通孔の前端孔縁に、各弾性可動片部の拡開状態で、テーパ状突部のテーパ面と同方向に傾斜する傾斜内面を備えたテーパ状孔部が形成されている構成が提案される。
【００１０】
また、各弾性可動片部に、外周方向に膨出して、外耳道の内壁に対する弾性被覆部材の圧接面積を拡大する膨出部が形成されている構成が提案される。
【考案の効果】
【００１１】
本考案は、弾性被覆部材が被覆された内筒体を外耳道に挿入した状態で、引張保持手段により操作杆を後方に引張して、挿通孔の前端孔縁に前方から当接するテーパ状突部によって各弾性可動片部を外周方向に拡開させることにより、各弾性可動片部の拡開に伴って外周方向に押圧される弾性被覆部材を外耳道の内壁に圧接させることができる。そして、この圧接状態で外耳道が遮蔽され、外部の騒音を遮断する遮音状態を得ることができる。また、この遮音状態において、操作杆を前方へ押し込むと、テーパ状突部が挿通孔の前端孔縁から離脱して各弾性可動片部がその弾性を介して縮径し、外耳道の内壁に対する弾性被覆部材の圧接が解除されるので、弾性被覆部材が被覆された内筒体を外耳道から取り出すことができる。そして、このように引張保持手段により操作杆を後方に引張することによって、遮音用耳栓の外耳道への装着を簡単かつ迅速に行うことができる一方、操作杆を前方へ押し込むことによって、弾性被覆部材の圧接が解除され、その取り外しを簡単かつ迅速に行うことができる。
【００１２】
ここで、前記引張保持手段を、内筒体の後端と操作杆の後端間に圧縮状態で介装されて、弾発力により操作杆を後方に引張する圧縮バネとする構成にあっては、簡単な構造で操作杆を後方に引張することが可能であり、ゴム材のように経年劣化を生じることなく長期に亘って弾発力を維持させることができ、適宜のバネ係数を備えた圧縮バネを選定使用することにより、外耳道の内壁に対する弾性被覆部材の圧接力を最適なものとすることができる。
【００１３】
また、前記引張保持手段を、内筒体の後端に連成された軸受け部に支軸を介して回動可能に軸支され、一端が操作杆の後端に連結されて、その回動により該操作杆を進退させる駆動レバーと、内筒体の後端から後方に向けて突成され、複数の係合溝が前後方向に沿って形成されて、各係合溝に駆動レバーの他端を選択的に係合可能な係止部材とからなるものとする構成にあっては、駆動レバーの回動操作によって操作杆の後方への引張や、前方への押し込みを迅速に行うことが可能であり、また、操作杆の後方への引張時に、駆動レバーの他端を複数の係合溝に選択的に係合させることにより、操作杆の引張位置を保持できるとともに、外耳道の内壁に対する弾性被覆部材の圧接力の強さを段階的に調節することができる。
【００１４】
さらに、内筒体に貫設された挿通孔の前端孔縁に、各弾性可動片部の拡開状態で、テーパ状突部のテーパ面と同方向に傾斜する傾斜内面を備えたテーパ状孔部が形成されている構成にあっては、操作杆の後方への引張時に、テーパ状突部のテーパ面が、テーパ状孔部の傾斜内面に面接触するため、該傾斜内面に対するテーパ状突部のテーパ面の押圧力が分散されて、よりスムーズに各弾性可動片部を拡開させることができる。
【００１５】
また、各弾性可動片部に、外周方向に膨出して、外耳道の内壁に対する弾性被覆部材の圧接面積を拡大する膨出部が形成されている構成にあっては、各膨出部によって外耳道の内壁に対する圧接力が分散されるので、外耳道の内壁に対する局所的な圧迫を防止することができる。
【考案を実施するための最良の形態】
【００１６】
以下に、本考案にかかる遮音用耳栓の第一実施例を、図１〜図３に基づいて説明する。
遮音用耳栓１は、図１に示すように、弾性被覆部材２が被覆された略筒状の内筒体３を備えている。該内筒体３は、強度に優れ、かつ適宜の弾性を備えた合成樹脂からなり、内部に前後端を貫通する挿通孔４が貫設されている。外耳道５に挿入される内筒体３の前端部には、図２（Ａ），（Ｂ）に示すように、軸線方向に沿う複数の切込み溝６により周方向に等間隔で分割された複数の弾性可動片部７が設けられており、各弾性可動片部７は挿通孔４の前端孔縁に前方から当接するテーパ状突部９によって拡開可能となっている。また、前記弾性被覆部材２は、低反発ウレタンフォームやゴムからなり、少なくとも内筒体３の外周部及び前端部を所定厚さで覆っている。
【００１７】
内筒体３の挿通孔４には、操作杆８が前後方向に進退可能に嵌挿されている。該操作杆８の前端には、前方に至るに従って拡径する截頭円錐形のテーパ状突部９が設けられており、該テーパ状突部９のテーパ面１０が、前記各弾性可動片部７により囲繞される挿通孔４の前端孔縁に前方から当接可能となっている。
【００１８】
操作杆８の後端は、内筒体３の後端から後方に突出されており、該操作杆８の後端には外周方向に延出する鍔部１２が設けられている。該鍔部１２と内筒体３の後端との間には、操作杆８に外嵌されたコイル状のつる巻きバネからなる圧縮バネ１３が圧縮状態で介装されており、該圧縮バネ１３の弾発力により操作杆８が後方に引張されている。そして、この第一実施例では、該圧縮バネ１３によって、操作杆８を後方に引張してその引張位置を保持する引張保持手段が構成されている。
【００１９】
また、挿通孔４の前端孔縁には、各弾性可動片部の拡開状態で、前記テーパ状突部９のテーパ面１０と同方向に傾斜する傾斜内面１５を備えたテーパ状孔部１４（図３参照）が形成されており、該テーパ状孔部１４内にテーパ状突部９の基部が収納されている。
【００２０】
また、前記各弾性可動片部７には、外周方向に膨出した膨出部１６が夫々設けられており、該膨出部１６によって外耳道５の内壁に対する弾性被覆部材２の圧接面積を拡大するようにしている。
【００２１】
かかる構成にあって、遮音用耳栓１を外耳道５に装着するには、図３に示すように、操作杆８を圧縮バネ１３の弾発力に抗して前方へ押し込んで、テーパ状突部９を挿通孔４の前端孔縁から離脱させると、各弾性可動片部７がその弾性を介して縮径して、遮音用耳栓１が外耳道５に挿入可能な小径となる。この状態で遮音用耳栓１を外耳道５に挿入し、操作杆８を解放すると、該操作杆８が圧縮バネ１３の弾発力によって後方に引張され、図１に示すように、挿通孔４の前端孔縁に前方から当接するテーパ状突部９によって各弾性可動片部７が外周方向に拡開されることにより、各弾性可動片部７の拡開に伴って外周方向に押圧される弾性被覆部材２を外耳道５の内壁に圧接させることができる。そして、この圧接状態で外耳道５が遮蔽され、外部の騒音を遮断する遮音状態を簡単に得ることができる。また、操作杆８を後方に引張する圧縮バネ１３は、その弾発力によって弾性被覆部材２を外耳道５の内壁に圧接させた状態を維持するので、該圧縮バネ１３によって操作杆８の引張位置を保持させることができる。
【００２２】
また、上記のような装着状態にあって、外耳道５の内壁に対する弾性被覆部材２の圧接面積を拡大する膨出部１６が各弾性可動片部７の外周面に形成されていることにより、各膨出部１６によって外耳道５の内壁に対する圧接力が分散され、外耳道５の内壁に対する局所的な圧迫を防止することができる。
【００２３】
一方、上記のような装着状態において、遮音用耳栓１を取り外す場合には、図３に示すように、操作杆８を前方へ押し込んで、テーパ状突部９を挿通孔４の前端孔縁から離脱させると各弾性可動片部７がその弾性を介して縮径し、外耳道５の内壁に対する弾性被覆部材２の圧接が解除されるので、遮音用耳栓１を外耳道５から簡単に取り出すことができる。
【００２４】
尚、図３に鎖線で示すように、内筒体３の後端から後方に突出する指掛け部２６を設けてもよい。これにより、操作杆８の前方への押し込み操作を容易に行うことができる。
【００２５】
図４（Ａ），（Ｂ）は、上述した第一実施例の変形実施例を示し、図４（Ａ）は、挿通孔４の前端孔縁にテーパ状孔部１４（図３参照）を形成しない構成を示すものである。かかる構成にあっても、圧縮バネ１３の弾発力により操作杆８を後方に引張すると、挿通孔４の前端孔縁に前方から当接するテーパ状突部９によって各弾性可動片部７を外周方向に拡開させることができる。ここで、第一実施例のように挿通孔４の前端孔縁にテーパ状孔部１４（図３参照）を形成すれば、操作杆８の後方への引張時に、テーパ状突部９のテーパ面１０が、テーパ状孔部１４の傾斜内面１５に面接触するため、該傾斜内面１５に対するテーパ状突部９のテーパ面１０の押圧力が分散されて、よりスムーズに各弾性可動片部７を拡開させることができる。
【００２６】
図４（Ｂ）は、各弾性可動片部７の外周面に膨出部１６（図３参照）を形成しない構成を示すものである。かかる構成にあっても、各弾性可動片部７の拡開に伴って外周方向に押圧される弾性被覆部材２を外耳道５の内壁に圧接させることができる。ここで、第一実施例のように各弾性可動片部７の外周面に膨出部１６（図３参照）を形成すれば、上述したように、該膨出部１６によって外耳道５の内壁に対する圧接力が分散され、外耳道５の内壁に対する局所的な圧迫を防止することができる。
【００２７】
図５〜図７は、遮音用耳栓１の第二実施例を示し、この第二実施例は、他の構成からなる操作杆８の引張保持手段を備えたものである。即ち、内筒体３の後端には後方に向けて軸受け部１７が連成されており、該軸受け部１７に支軸１８を介して駆動レバー１９が回動可能に軸支されている。該駆動レバー１９の一端は、操作杆８の後端に連結ピン２０を介して連結されており、駆動レバー１９の回動操作により該操作杆８を進退させるようになっている。ここで、駆動レバー１９の一端には、連結ピン２０が挿通される連結孔２１が駆動レバーの長手方向に沿って長孔状に形成されており、この長孔状の連結孔２１によって駆動レバー１９の回動時における連結ピン２０の相対的変位を吸収するようにしている。
【００２８】
また、駆動レバー１９の他端に対応する位置には、内筒体３の後端から後方に向けて係止部材２２が突成されており、該係止部材２２には複数の係合溝２３が前後方向に沿って形成されている。そして、各係合溝２３に駆動レバー１９の他端を選択的に係合し得るようになっている。ここで、各係合溝２３と駆動レバー１９の他端には不用意に係合が外れないように脱出防止手段が設けられており、この脱出防止手段としては、図６（Ａ）に示すように、各係合溝２３と駆動レバー１９の後側縁に相互に係合可能な傾斜面２４ａ，２４ｂを設けたり、図６（Ｂ）に示すように、相互に係合可能な凹部２５ａと突起部２５ｂを設けたりすることにより構成され得る。
【００２９】
その他、第一実施例と共通する構成部分については、第一実施例と同一の符号を付して重複説明を省略する。
【００３０】
かかる構成にあって、遮音用耳栓１を外耳道５に装着するには、図５に示すように、駆動レバー１９の他端と係止部材２２との係合を解除した状態で、該駆動レバー１９の他端を後方に回動させ、操作杆８を前方へ押し込んで、テーパ状突部９を挿通孔４の前端孔縁から離脱させると、各弾性可動片部７がその弾性を介して縮径して、遮音用耳栓１が外耳道５に挿入可能な小径となる。この状態で遮音用耳栓１を外耳道５に挿入し、駆動レバー１９の他端を前方に回動させると、その回動量に応じて操作杆８が後方に引張され、図７に示すように、挿通孔４の前端孔縁に前方から当接するテーパ状突部９によって各弾性可動片部７が外周方向に拡開されることにより、各弾性可動片部７の拡開に伴って外周方向に押圧される弾性被覆部材２を外耳道５の内壁に圧接させることができる。また、このような弾性被覆部材２の圧接状態で、駆動レバー１９の他端を係止部材２２の何れかの係合溝２３に係合させることにより、操作杆８の引張位置を保持させることができる。特に、この第二実施例の引張保持手段にあっては、操作杆８の後方への引張時に、駆動レバー１９の他端を複数の係合溝２３に選択的に係合させることにより、外耳道５の内壁に対する弾性被覆部材２の圧接力の強さを段階的に調節することができる。
【００３１】
一方、遮音用耳栓１を取り外す場合には、駆動レバー１９の他端と係合溝２３との係合を外し、図５に示すように、駆動レバー１９の他端を後方に回動させて、操作杆８を前方へ押し込むと、テーパ状突部９が挿通孔４の前端孔縁から離脱し、各弾性可動片部７がその弾性を介して縮径して、外耳道５の内壁に対する弾性被覆部材２の圧接が解除されるので、遮音用耳栓１を外耳道５から簡単に取り出すことができる。
【００３２】
尚、この第二実施例の引張保持手段を備えた遮音用耳栓１にあっても、上述した変形実施例の構成（図４（Ａ），（Ｂ）参照）を適用することが可能である。
【図面の簡単な説明】
【００３３】
【図１】第一実施例にかかる遮音用耳栓１の装着状態を示す縦断面図である。
【図２】（Ａ）は内筒体３の正面図、（Ｂ）は内筒体３の前端部側の側面図である。
【図３】第一実施例にかかる遮音用耳栓１の操作杆８を押し込んだ状態を示す縦断面図である。
【図４】第一実施例の変形実施例を示す縦断面図である。
【図５】第二実施例にかかる遮音用耳栓１の操作杆８を押し込んだ状態を示す縦断面図である。
【図６】係合溝２３と駆動レバー１９に設けられる脱出防止手段の構成を示す説明図である。
【図７】第二実施例にかかる遮音用耳栓１の装着状態を示す縦断面図である。
【符号の説明】
【００３４】
１  遮音用耳栓
２  弾性被覆部材
３  内筒体
４  挿通孔
５  外耳道
６  切込み溝
７  弾性可動片部
８  操作杆
９  テーパ状突部
１０  テーパ面
１３  圧縮バネ（引張保持手段）
１４  テーパ状孔部
１５  傾斜内面
１６  膨出部
１７  軸受け部
１８  支軸
１９  駆動レバー（引張保持手段）
２２  係止部材（引張保持手段）
２３  係合溝
【図１】
0003145066.tif 000003
【図２】
0003145066.tif 000004
【図３】
0003145066.tif 000005
【図４】
0003145066.tif 000006
【図５】
0003145066.tif 000007
【図６】
0003145066.tif 000008
【図７】
0003145066.tif 000009